(57)【要約】【課題】便意を効率よくかつ確実に促進させることが可能な洗浄水を噴出することが可能な衛生洗浄装置を提供する。【解決手段】制御部は、エキストラスイッチが押下されたと判別すると、切替弁をおしりノズル側に切り替え、止水電磁弁を開き、熱交換器に洗浄水を供給する。制御部は、通水センサより通水信号を受信したか否かを判別する。通水センサから通水信号を受信すると、制御部は、便座用ヒータおよび室内暖房用ヒータをオフするとともに熱交換器をオンし、洗浄水の加熱を開始する。さらに、制御部は、温度センサより与えられる温度測定値に基づいて洗浄水の温度が所定温度に達したか否かを判別する。洗浄水の温度が所定温度に達したと判別すると、制御部は、ポンプを所定の高速度で回転させ、高い圧力で加圧された洗浄水をおしりノズルより高い流速および流量で噴出させる。【選択図】　　　　図１６
2004003247.tif 000002
【特許請求の範囲】
【請求項１】
給水源から供給される洗浄水を人体に噴出する衛生洗浄装置であって、
洗浄水を人体に噴出する噴出手段と、
前記給水源から供給される洗浄水を加圧し、前記噴出手段から噴出させる加圧手段と、
洗浄水により人体の局部を洗浄する通常洗浄を指示する通常洗浄指示手段と、
洗浄水の水勢を設定するための水勢設定手段と、
洗浄水の水勢を最強にする最強洗浄を指示する最強洗浄指示手段と、
前記通常洗浄指示手段の指示に応答して、前記水勢設定手段により設定された水勢に対応する圧力で洗浄水を加圧するように前記加圧手段を制御し、前記最強洗浄指示手段の指示に応答して前記水勢設定手段により設定可能な最大の水勢時の圧力以上の高い圧力で洗浄水を加圧するように前記加圧手段を制御する制御手段とを備えたことを特徴とする衛生洗浄装置。
【請求項２】
前記給水源から給水される洗浄水を加熱して前記加圧手段に供給する加熱手段をさらに備えたことを特徴とする請求項１記載の衛生洗浄装置。
【請求項３】
前記加熱手段は、前記給水源から供給される洗浄水を流動させつつ加熱する瞬間式加熱装置であることを特徴とする請求項２記載の衛生洗浄装置。
【請求項４】
前記加熱手段により加熱された洗浄水の温度を測定する温度計測手段を備え、
前記制御手段は、前記最強洗浄時に、前記温度計測手段により測定される温度が所定値より低下しないように前記加圧手段が洗浄水を加圧する圧力を制御することを特徴とする請求項２または３に記載の衛生洗浄装置。
【請求項５】
前記加熱手段に電力を供給する電力供給手段と、
前記最強洗浄時に、前記通常洗浄時よりも大きい電力が前記加熱手段に供給されるように前記電力供給手段を制御する電力制御手段とをさらに備えたことを特徴とする請求項２〜４のいずれかに記載の衛生洗浄装置。
【請求項６】
暖房手段をさらに備え、
前記電力制御手段は、前記最強洗浄時に前記暖房手段への電力供給を停止するように前記電力供給手段を制御することを特徴とする請求項５記載の衛生洗浄装置。
【請求項７】
前記最強洗浄指示手段は、
使用者が最強洗浄を指示するための操作手段を含むことを特徴とする請求項１〜６のいずれかに記載の衛生洗浄装置。
【請求項８】
前記操作手段は、
使用者の操作によりオンするスイッチを含むことを特徴とする請求項７記載の衛生洗浄装置。
【請求項９】
前記制御手段は、
前記スイッチがオンしている間に前記水勢設定手段により設定可能な最大の水勢時の圧力以上の高い圧力で洗浄水を加圧するように前記加圧手段を制御することを特徴とする請求項８記載の衛生洗浄装置。
【請求項１０】
前記制御手段は、
前記スイッチがオフすると、前記水勢設定手段により設定された水勢に対応する圧力で洗浄水を加圧するように前記加圧手段を制御することを特徴とする請求項８または９記載の衛生洗浄装置。
【請求項１１】
前記スイッチは、
使用者が押している間オンすることを特徴とする請求項８〜１０のいずれかに記載の衛生洗浄装置。
【請求項１２】
前記スイッチがオンしてから所定時間経過後に前記スイッチをオフするタイマをさらに備えることを特徴とする請求項８〜１１のいずれかに記載の衛生洗浄装置。
【請求項１３】
前記タイマの設定時間を調整するための設定手段をさらに備えることを特徴とする請求項１２記載の衛生洗浄装置。
【請求項１４】
前記加圧手段は、
周期的に変動する圧力で洗浄水を加圧する往復動ポンプを含むことを特徴とする請求項１〜１３のいずれかに記載の衛生洗浄装置。
【請求項１５】
前記往復動ポンプは、
回転可能な回転駆動手段と、
往復運動可能に設けられた加圧部材と、
前記回転駆動手段の回転を前記加圧部材の往復運動に変換する変換手段とを含み、
前記制御手段は、前記回転駆動手段の回転数を制御することにより圧力変動を制御することを特徴とする請求項１４記載の衛生洗浄装置。
【請求項１６】
前記往復動ポンプは、
パルス電圧に基づいて前記加圧部材を往復運動させる電磁コイルを含み、
前記制御手段は、前記電磁コイルに印加するパルス電圧の周波数またはデューティ比を制御することにより圧力変動を制御することを特徴とする請求項１４記載の衛生洗浄装置。
【請求項１７】
前記噴出手段は、
時間的に変動する流量で洗浄水を噴出することを特徴とする請求項１〜１６のいずれかに記載の衛生洗浄装置。
【請求項１８】
前記噴出手段は、
時間的に変動する流速で洗浄水を噴出することを特徴とする請求項１〜１６のいずれかに記載の衛生洗浄装置。
【発明の詳細な説明】
【０００１】
【発明の属する技術分野】
本発明は、人体の局部を洗浄する衛生洗浄装置に関する。
【０００２】
【従来の技術】
一般に、人体の局部を洗浄する衛生洗浄装置においては、人体に不快感を与えないようにするため洗浄に用いる洗浄水を適切な温度に調整する加熱装置が備えられている。このような加熱装置には、主に貯湯式加熱装置または瞬間式加熱装置がある。
【０００３】
貯湯式加熱装置は、予め所定量の洗浄水を貯えるとともに内蔵した加熱ヒータにより洗浄水を所定の温度に加熱する温水タンクを備え、人体の局部を洗浄する際に、予め温水タンク内で所定の温度に加熱した洗浄水を水道圧を利用するか若しくはポンプ等により圧送してノズルより噴出させる方法を採用している。
【０００４】
一方、瞬間式加熱装置は、人体の局部を洗浄する際に、洗浄水を昇温速度に優れたセラミックヒータ等の加熱ヒータにより所定の温度に加熱し、水道圧を利用するかもしくはポンプ等により圧送してノズルより噴出させる方法を採用している。
【０００５】
そのため、瞬間式加熱装置においては、予め洗浄水を所定の温度に維持し続ける必要がなく、使用時のみ加熱ヒータに電力を供給すればよいので、消費電力を抑制することができる。また、長時間の洗浄や、トイレの連続使用等により多量の洗浄水を人体の局部の洗浄に用いた際でも、洗浄水の温度が所定の温度以下に低下して人体に不快感を与えることを防止することができる。
【０００６】
【発明が解決しようとする課題】
近年、衛生洗浄装置においては、使用者の好みに応じた洗浄を実現すべく各種機能が提案されてきた。使用者の好みは多岐にわたり、洗浄水の強さの好みにも極端に強い（痛く感じるような）強度のものから、柔らかく手応えのない水勢まで、広く水勢に対する要求がなされる。洗浄の爽快感を求める人は特に強い洗浄を好む傾向にある。また、近年の健康志向に伴い、使用者の便意を促進させる機能が設けられている。
【０００７】
便意が促進される要因としては、肛門が直接刺激されることにより促進する場合と、肛門内に液状の薬品等を注入し不随意筋が刺激されることにより内肛門括約筋が弛緩し、促進する場合とがある。
【０００８】
従来の衛生洗浄装置では、人体の局部を洗浄するノズルから噴出される洗浄水に脈動を与え、肛門を直接刺激することにより便意を促進する方法が提案されている。
【０００９】
しかしながら、瞬間式加熱装置を用いた衛生洗浄装置では、洗浄水の瞬間的な昇温が求められるため、使用者の局部に噴出する洗浄水の流量を多くすることが難しい。つまり、瞬間式加熱装置を用いた衛生洗浄装置においては、ノズルより噴出する洗浄水の流量が制限される。そのため、刺激が弱く、効率よく便意を促進させることが困難であった。一方、貯湯式加熱装置を用いた衛生洗浄装置においては、洗浄水の流量を多くすることは可能であるが、洗浄水の流量が多いだけでは、刺激が弱く、効率よく便意を促進させることが困難である。
【００１０】
本発明の目的は、人体の局部および局部周辺を強い水勢で瞬時に洗浄することが可能な衛生洗浄装置を提供することである。
【００１１】
本発明の他の目的は、便意を効率よくかつ確実に促進させることが可能な洗浄水を噴出することが可能な衛生洗浄装置を提供することである。
【００１２】
【課題を解決するための手段】
（第１の発明）
本発明に係る衛生洗浄装置は、給水源から供給される洗浄水を人体に噴出する衛生洗浄装置であって、洗浄水を人体に噴出する噴出手段と、給水源から供給される洗浄水を加圧し、噴出手段から噴出させる加圧手段と、洗浄水により人体の局部を洗浄する通常洗浄を指示する通常洗浄指示手段と、洗浄水の水勢を設定するための水勢設定手段と、洗浄水の水勢を最強にする最強洗浄を指示する最強洗浄指示手段と、通常洗浄指示手段の指示に応答して、水勢設定手段により設定された水勢に対応する圧力で洗浄水を加圧するように加圧手段を制御し、最強洗浄指示手段の指示に応答して水勢設定手段により設定可能な最大の水勢時の圧力以上の高い圧力で洗浄水を加圧するように加圧手段を制御する制御手段とを備えたものである。
【００１３】
本発明に係る衛生洗浄装置においては、通常洗浄指示手段の指示に応答して、給水源から供給される洗浄水が、水勢設定手段により設定された水勢に対応する圧力で加圧手段により加圧され、噴出手段より噴出される。また、最強洗浄指示手段の指示に応答して、給水源から供給される洗浄水が、水勢設定手段により設定可能な最大の水勢時の圧力以上の高い圧力で加圧手段により加圧され、噴出手段より噴出される。
【００１４】
これにより、最強洗浄動作時に、人体の局部および局部周辺を吐出圧力の高い洗浄水で瞬時に洗浄することが可能となる。また、最強洗浄によれば、人体の局部および局部周辺を吐出圧力の高い洗浄水で刺激することができ、効率よくかつ確実に便意を促進することも可能となる。
【００１５】
（第２の発明）
第２の発明に係る衛生洗浄装置は、第１の発明に係る衛生洗浄装置の構成において、給水源から給水される洗浄水を加熱して加圧手段に供給する加熱手段をさらに備えたものである。
【００１６】
この場合、給水源から供給された洗浄水を加熱手段により加熱して加圧手段に供給することができ、噴出手段から適度に加熱された洗浄水を噴出することができる。
【００１７】
これにより、通常洗浄動作時において、適度に加熱された洗浄水により、使用者に不快感を感じさせることなく人体の局部を洗浄することが可能となる。また、最強洗浄時において、適度に加熱された洗浄水により、使用者に不快感を感じさせることなく人体の局部を瞬時に洗浄することが可能となり、さらに効率よくかつ確実に便意を促進することも可能となる。
【００１８】
（第３の発明）
第３の発明に係る衛生洗浄装置は、第２の発明に係る衛生洗浄装置の構成において、加熱手段は、給水源から供給される洗浄水を流動させつつ加熱する瞬間式加熱装置である。
【００１９】
この場合、供給源から供給される洗浄水が流動しつつ加熱手段により加熱されることにより、瞬間的に洗浄水が加熱される。したがって、通常洗浄時および最強洗浄時にのみ洗浄水の加熱を行うため、消費電力を最小限に抑えることができ、さらに洗浄水を貯える貯水タンク等が不要となるため、省スペース化が実現できる。また、通常洗浄時間または最強洗浄時間が長くなった場合でも、洗浄水の温度の低下が生じない。
【００２０】
（第４の発明）
第４の発明に係る衛生洗浄装置は、第２または第３の発明に係る衛生洗衛生洗浄装置の構成において、加熱手段により加熱された洗浄水の温度を測定する温度計測手段を備え、制御手段は、最強洗浄時に、温度計測手段により測定される温度が所定値より低下しないように加圧手段が洗浄水を加圧する圧力を制御するものである。
【００２１】
この場合、加熱手段により加熱された洗浄水の温度が温度計測手段により測定される。また、最強洗浄時においては、温度計測手段が測定する温度が所定値より低下しないように加圧手段が洗浄水を加圧する圧力が制御手段により制御される。
【００２２】
これにより、最強洗浄時間が長くなった場合でも洗浄水の温度の低下が生じず、適度に加熱された洗浄水により、使用者に不快感を感じさせることなく人体の局部を最強洗浄することが可能となる。
【００２３】
（第５の発明）
第５の発明に係る衛生洗浄装置は、第２〜第４のいずれかの発明に係る衛生洗浄装置の構成において、加熱手段に電力を供給する電力供給手段と、最強洗浄時に、通常洗浄時よりも大きい電力が加熱手段に供給されるように電力供給手段を制御する電力制御手段とをさらに備えたものである。
【００２４】
この場合、最強洗浄時において、通常洗浄時よりも大きい電力が電力供給手段により加熱手段に供給される。したがって、最強洗浄時に、多量の洗浄水が噴出手段から噴出される場合においても、洗浄水の温度を適度に保つことが可能となる。
【００２５】
（第６の発明）
第６の発明に係る衛生洗浄装置は、第５の発明に係る衛生洗浄装置の構成において、暖房手段をさらに備え、電力制御手段は、最強洗浄時に暖房手段への電力供給を停止するように電力供給手段を制御するものである。
【００２６】
この場合、最強洗浄時において、暖房手段への電力の供給が停止されるので、加熱手段に集中的に電力が供給される。したがって、給水源から供給される洗浄水を充分な電力で加熱手段により加熱することができ、最強洗浄時に、多量の洗浄水が噴出手段から噴出される場合においても、洗浄水の温度を適度に保つことが可能となる。
【００２７】
なお、最強洗浄時に暖房手段への電力の供給を停止しても、直前まで温められた便座の温度と使用者の体温との補完作用により、使用者が便座に冷たさを感じることはない。
【００２８】
（第７の発明）
第７の発明に係る衛生洗浄装置は、第１〜第６のいずれかの発明に係る衛生洗浄装置の構成において、最強洗浄指示手段は、使用者が最強洗浄を指示するための操作手段を含むものである。
【００２９】
この場合、使用者が操作手段を操作することにより最強洗浄が開始されるので、使用者は、好みに応じた任意の時に最強洗浄を行うことが可能となる。
【００３０】
（第８の発明）
第８の発明に係る衛生洗浄装置は、第７の発明に係る衛生洗浄装置の構成において、操作手段は、使用者の操作によりオンするスイッチを含むものである。
【００３１】
この場合、使用者はスイッチを操作することにより、通常洗浄時や洗浄停止時に関わらず、容易に最強洗浄を行うことができる。
【００３２】
（第９の発明）
第９の発明に係る衛生洗浄装置は、第８の発明に係る衛生洗浄装置の構成において、制御手段は、スイッチがオンしている間に水勢設定手段により設定可能な最大の水勢時の圧力以上の高い圧力で洗浄水を加圧するように加圧手段を制御するものである。
【００３３】
この場合、使用者は、最強洗浄のスイッチをオンすることにより、容易に最強洗浄を行うことができる。
【００３４】
（第１０の発明）
第１０の発明に係る衛生洗浄装置は、第８または第９の発明に係る衛生洗浄装置の構成において、制御手段は、スイッチがオフすると、水勢設定手段により設定された水勢に対応する圧力で洗浄水を加圧するように加圧手段を制御するものである。
【００３５】
この場合、スイッチがオフされることにより、加圧手段は水勢設定手段により設定された水勢に対応する圧力で洗浄水を加圧するように制御手段により制御される。したがって、使用者は、最強洗浄時に最強洗浄のスイッチをオフすることにより、容易に最強洗浄から通常洗浄に切り替えることができる。また、通常洗浄においては、水勢設定手段により設定された水勢に対応する洗浄水の噴出が行われるため、使用者は最強洗浄から通常洗浄への切り替え時に水勢の再設定を行う必要がない。
【００３６】
（第１１の発明）
第１１の発明に係る衛生洗浄装置は、第８〜第１０のいずれかの発明に係る衛生洗浄装置の構成において、スイッチは、使用者が押している間オンするものである。この場合、使用者は所望の時間、スイッチを押下することにより最強洗浄を行うことができる。また、使用者はスイッチから手を離すだけで最強洗浄を停止することができる。したがって、必要以上の長時間の最強洗浄が防止され、最強洗浄の解除忘れも防止される。
【００３７】
（第１２の発明）
第１２の発明に係る衛生洗浄装置は、第８〜第１１のいずれかの発明に係る衛生洗浄装置の構成において、スイッチがオンしてから所定時間経過後にスイッチをオフするタイマをさらに備えるものである。この場合、使用者による必要以上の長時間の最強洗浄が防止され、最強洗浄の解除忘れも防止される。
【００３８】
（第１３の発明）
第１３の発明に係る衛生洗浄装置は、第１２の発明に係る衛生洗浄装置の構成において、タイマの設定時間を調整するための設定手段をさらに備えるものである。この場合、使用者は予め最強洗浄を継続する所望の時間を設定することができるので、使用者の好みに応じた最強洗浄時間が実現される。
【００３９】
（第１４の発明）
第１４の発明に係る衛生洗浄装置は、第１〜第１３のいずれかの発明に係る衛生洗浄装置の構成において、加圧手段は、周期的に変動する圧力で洗浄水を加圧する往復動ポンプを含むものである。
【００４０】
この場合、加圧手段により洗浄水を周期的に変動する圧力で吐出させることができる。したがって、噴出孔より噴出される洗浄水の噴出速度が周期的に増加する。噴出項より噴出された洗浄水は、空気抵抗により広がりを持った粒状に変化するので、少ない流量の洗浄水でも人体に高い洗浄感を与えることができる。また、制御手段により往復動ポンプの動作を制御することができるので、使用者の嗜好に応じて洗浄水の圧力変動を制御することが可能となる。
【００４１】
それにより、通常洗浄時において、効率よく人体を洗浄することができ、最強洗浄時においては人体の局部を瞬時に効率よく洗浄できる。さらに、最強洗浄時においては、人体の局部に強い刺激を与えることができ、効率よくかつ確実に便意を促進することが可能となる。
【００４２】
（第１５の発明）
第１５の発明に係る衛生洗浄装置は、第１４の発明に係る衛生洗浄装置の構成において、往復動ポンプは、回転可能な回転駆動手段と、往復運動可能に設けられた加圧部材と、回転駆動手段の回転を加圧部材の往復運動に変換する変換手段とを含み、制御手段は、回転駆動手段の回転数を制御することにより圧力変動を制御するものである。
【００４３】
この場合、加圧手段の回転駆動手段の回転数を制御することにより、洗浄水の流量および圧力を制御することができ、通常洗浄時において、少ない電力で効率よく高い圧力の洗浄水を噴出することができ、効率よく人体を洗浄することが可能となる。また、最強洗浄時において、少ない電力で効率よく高い圧力の洗浄水を噴出手段から噴出することが可能となる。したがって、効率よくかつ確実に便意を促進することが可能となる。
【００４４】
（第１６の発明）
第１６の発明に係る衛生洗浄装置は、第１４の発明に係る衛生洗浄装置の構成において、往復動ポンプは、パルス電圧に基づいて加圧部材を往復運動させる電磁コイルを含み、制御手段は、電磁コイルに印加するパルス電圧の周波数またはデューティ比を制御することにより圧力変動を制御するものである。
【００４５】
この場合、加圧手段の電磁コイルに印加するパルス電圧の周波数またはデューティ比を制御することにより、洗浄水の流量および圧力を制御することが可能となる。
【００４６】
（第１７の発明）
第１７の発明に係る衛生洗浄装置は、第１〜第１６のいずれかの発明に係る衛生洗浄装置の構成において、噴出手段は、時間的に変動する流量で洗浄水を噴出するものである。
【００４７】
この場合、噴出手段により噴出される洗浄水の噴出速度が周期的に増加する。噴出手段より噴出された洗浄水は、空気抵抗により広がりを持った粒状に変化するとともに、空間において間欠状態で衝突するので、少ない流量の洗浄水でも人体に高い洗浄感および刺激を与えることが可能となる。
【００４８】
（第１８の発明）
第１８の発明に係る衛生洗浄装置は、第１〜第１６のいずれかの発明に係る衛生洗浄装置の構成において、噴出手段は、時間的に変動する流速で洗浄水を噴出するものである。
【００４９】
この場合、噴出手段により噴出される洗浄水の噴出速度が周期的に増加する。噴出手段より噴出された洗浄水は、空気抵抗により広がりを持った粒状に変化するので、少ない流量の洗浄水でも人体に高い洗浄感および刺激を与えることが可能となる。
【００５０】
【発明の実施の形態】
以下、本発明の実施の形態に係る衛生洗浄装置について説明する。
【００５１】
図１は、本発明の実施の形態に係る衛生洗浄装置を便器に装着した状態を示す斜視図である。
【００５２】
図１に示すように、便器６００上に衛生洗浄装置１００が装着される。タンク７００は、水道配管に接続されており、便器６００内に洗浄水を供給する。
【００５３】
衛生洗浄装置１００は、本体部２００、遠隔操作装置３００、便座部４００および蓋部５００により構成される。
【００５４】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、後述する室内暖房用ヒータ１５（図４）、便座部４００に内蔵された便座暖房用ヒータ１６（図４）、本体部２００に設けられた脱臭装置（図示せず）および温風供給装置（図示せず）等の制御も行う。
【００５５】
図２は図１の遠隔操作装置３００の一例を示す模式図である。
図２に示すように、遠隔操作装置３００は、水勢表示部３０１、複数の調整スイッチ３０２、おしりスイッチ３０３、エキストラスイッチ３０４、停止スイッチ３０５、ビデスイッチ３０６、乾燥スイッチ３０７、脱臭スイッチ３０８、長さの異なる複数の水勢表示部３０１ａおよびエキストラ洗浄水勢表示部３０１ｂを備える。
【００５６】
使用者により調整スイッチ３０２、おしりスイッチ３０３、エキストラスイッチ３０４、停止スイッチ３０５、ビデスイッチ３０６、乾燥スイッチ３０７および脱臭スイッチ３０８が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００５７】
例えば、使用者が、おしりスイッチ３０３またはビデスイッチ３０６を押下操作することにより図１の本体部２００のノズル部３０が移動して洗浄水が噴出する。エキストラスイッチ３０４を押下操作することにより図１の本体部２００のノズル部３０から人体の局部に刺激を与える洗浄水が噴出される。停止スイッチ３０５を押下操作することによりノズル部３０からの洗浄水の噴出が停止する。
【００５８】
また、乾燥スイッチ３０７を押下操作することにより人体の局部に対して衛生洗浄装置１００の温風供給装置（図示せず）より温風が噴出される。脱臭スイッチ３０８を押下操作することにより衛生洗浄装置１００の脱臭装置（図示せず）により周辺の脱臭が行われる。
【００５９】
調整スイッチ３０２は、水勢調整スイッチ３０２ａ，３０２ｂ、温度調整スイッチ３０２ｃ，３０２ｄおよびノズル位置調整スイッチ３０２ｅ，３０２ｆを含む。
【００６０】
使用者が、ノズル位置調整スイッチ３０２ｅ，３０２ｆを押下操作することにより図１の衛生洗浄装置１００の本体部２００のノズル部３０の位置が変化し、温度調整スイッチ３０２ｃ，３０２ｄを押下操作することにより、ノズル部３０より噴出される洗浄水の温度が変化する。また、水勢調整スイッチ３０２ａ，３０２ｂを押下操作することにより、ノズル部３０より噴出される洗浄水の水量、圧力および噴出形態等が変化する。本実施の形態では、洗浄水の水勢が周期的な圧力変動における変動中心の圧力、変動幅および変動周期（変動周波数）を変化させることにより調整される。水勢調整スイッチ３０２ａ，３０２ｂを押下操作することにより水勢に応じた数の水勢表示部３０１ａが点灯する。例えば、図２に示すように水勢表示部３０１ａが５つ点灯している場合、水勢は「強」に設定されている。また、使用者が、エキストラスイッチ３０４を押下操作し、後述するエキストラ洗浄が行われている場合には、エキストラ洗浄水勢表示部３０１ｂが点灯する。
【００６１】
ここで、以上に示す図２の遠隔操作装置３００は以下の構成を有してもよい。
図３は図１の遠隔操作装置３００の他の例を示す模式図である。
【００６２】
図３の遠隔操作装置３００は、図２の遠隔操作装置３００が備える各種スイッチおよび各種表示部に加え、エキストラタイマーダイヤル３０４ｃを備える。
【００６３】
図３の遠隔操作装置３００に設けられた各種スイッチは、上述の図２の遠隔操作装置３００と同様に使用者により押下操作される。また、図３の遠隔操作装置３００に設けられたエキストラタイマーダイヤル３０４ｃは、使用者により回転操作される。それにより、遠隔操作装置３００は、上記と同様に衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００６４】
例えば、使用者が、おしりスイッチ３０３またはビデスイッチ３０６を押下操作することにより図１の本体部２００のノズル部３０が移動して洗浄水が噴出する。停止スイッチ３０５を押下操作することによりノズル部３０からの洗浄水の噴出が停止する。
【００６５】
ここで、使用者がおしりスイッチ３０３を押下操作し、さらにエキストラスイッチ３０４を押下操作することによりノズル部３０より噴出する洗浄水の噴出形態が変更され、人体の局部に刺激を与える洗浄水が噴出される（エキストラ洗浄）。
【００６６】
そして、使用者は、継続してエキストラスイッチ３０４を押下し続けることによりエキストラ洗浄を継続して行うことができる。その後、使用者によるエキストラスイッチ３０４の押下操作が中断されることにより、ノズル部３０より噴出する洗浄水の噴出形態が通常の洗浄時における噴出形態に戻される。
【００６７】
上記において、エキストラ洗浄の噴出時間はエキストラタイマーダイヤル３０４ｃにより設定可能である。図３に示すように、エキストラタイマーダイヤル３０４ｃの周辺には、タイマーオン目盛、タイマーオフ目盛およびタイマー時間設定目盛が設けられている。そして、使用者がエキストラタイマーダイヤル３０４ｃを矢印Ｎの方向に回転させることによりエキストラ洗浄の噴出時間が設定される。
【００６８】
例えば、使用者がエキストラタイマーダイヤル３０４ｃをタイマーオフ目盛にセットしている場合、エキストラ洗浄は、使用者がエキストラスイッチ３０４を押下操作することにより開始され、使用者がエキストラスイッチ３０４の押下を中断することにより停止する。
【００６９】
一方、使用者がエキストラタイマーダイヤル３０４ｃをタイマーオン目盛をこえて特定のタイマー時間設定目盛にセットしている場合、エキストラ洗浄は、使用者がエキストラスイッチ３０４を押下操作することにより開始され、設定された時間の経過後、自動的に停止する。
【００７０】
使用者による乾燥スイッチ３０７、脱臭スイッチ３０８の押下操作に伴う衛生洗浄装置１００の動作は上述の通りである。また、調整スイッチ３０２に設けられる各種スイッチの押下操作に伴う衛生洗浄装置１００の動作も上述の通りである。
【００７１】
以上において、エキストラ洗浄は、エキストラスイッチ３０４の押下操作の中断により、または、エキストラタイマーダイヤル３０４ｃの設定時間の経過により終了する。
【００７２】
ここで、図３のリモートコントローラ３００においては、上述の各種スイッチの他に、エキストラ洗浄を停止するためのエキストラオフスイッチを設けてもよい。この場合、使用者は、エキストラ洗浄時に継続してエキストラスイッチ３０４を押下操作する必要がなくなる。
【００７３】
上記においてリモートコントローラ３００は、エキストラ洗浄の終了時にはエキストラ洗浄の停止を示すエキストラ洗浄停止信号を後述の制御部４に出力する。
【００７４】
図４は、第１の実施の形態に係る衛生洗浄装置１００の本体部２００の構成を示す模式図である。
【００７５】
図４に示すように本体部２００は、制御部４、分岐水栓５、ストレーナ６、逆止弁７、定流量弁８、止水電磁弁９、流量センサ１０、熱交換器１１、温度センサ１２ａ，１２ｂ、通水センサ１２ｄ、ポンプ１３、切替弁１４、室内暖房用ヒータ１５、便座暖房用ヒータ１６およびノズル部３０を含む。また、ノズル部３０は、おしりノズル１、ビデノズル２およびノズル洗浄用ノズル３を含む。
【００７６】
図４に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂ、通水センサ１２ｄおよびポンプ１３が介挿されている。
【００７７】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００７８】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００７９】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００８０】
続いて、熱交換器１１は、制御部４により与えられる制御信号に基いて、配管２０２を通して供給された洗浄水を所定の温度に加熱する。通水センサ１２ｄは、配管２０３内が洗浄水で満たされていることを検出し、制御部４に通水信号を与える。温度センサ１２ｂは、熱交換器１１により所定の温度に加熱された洗浄水の温度を測定し、制御部４に温度測定値を与える。
【００８１】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基いて、ノズル部３０より噴出される洗浄水の流量を調整する。それにより、ノズル部３０より噴出される洗浄水の流量が変化する。
【００８２】
室内暖房用ヒータ１５は、制御部４より与えられる制御信号に基づいて室内の暖房を行う。また、便座暖房用ヒータは、便座部４００を加熱する。
【００８３】
制御部４は、図１の遠隔操作装置３００から無線送信される信号、流量センサ１０から与えられる測定流量値および温度センサ１２ａ，１２ｂから与えられる温度測定値に基き止水電磁弁９、熱交換器１１、ポンプ１３、切替弁１４、室内暖房用ヒータ１５および便座暖房用ヒータ１６に対して制御信号を与える。
【００８４】
図５は熱交換器１１の構造の一例を示す一部切り欠き断面図である。
図５に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００８５】
図４の制御部４は、温度センサ１２ｂより与えられる温度測定値に基いて、熱交換器１１のセラミックヒータ５０５の温度をフィードバック制御する。
【００８６】
本実施の形態においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００８７】
図６はポンプ１３の構造の一例を示す断面図である。図６のポンプは複動型レシプロポンプである。
【００８８】
図６において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００８９】
本体部１３８の一側部には洗浄水入口ＰＩが設けられ、他側部には洗浄水出口ＰＯが設けられている。洗浄水入口ＰＩには図４の配管２０３を介して熱交換器１１が接続され、洗浄水出口ＰＯには配管２０３を介して切替弁１４が接続される。
【００９０】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００９１】
ポンプ室１３９ａは、小室Ｓ５、小室Ｓ７および内部流路Ｐ３を介して洗浄水出口ＰＯに連通している。円柱状空間１３９ｂは、小室Ｓ６、小室Ｓ８および内部流路Ｐ４を介して洗浄水出口ＰＯに連通している。
【００９２】
小室Ｓ３、小室Ｓ４、小室Ｓ７および小室Ｓ８には、それぞれアンブレラパッキン１３７が設けられている。
【００９３】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【００９４】
図４の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【００９５】
図７はアンブレラパッキン１３７の動作を説明するための模式図である。例えば、図６の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図７（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図７（ａ）に示す状態のまま変形しない。そのため、洗浄水がポンプ室１３９ａ内へ流入したり、逆に洗浄水出口ＰＯより吐出されることもない。
【００９６】
一方、図６の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図７（ａ）に示す状態のまま変形しない。その結果、小室Ｓ１内の洗浄水が、ポンプ室１３９ａに流入しない。この場合、小室Ｓ７に設けられたアンブレラパッキン１３７は、図７（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【００９７】
なお、小室Ｓ４内に設けられたアンブレラパッキン１３７は、圧送ピストン１３６が上方向に移動した場合に、図７（ｂ）に示すように変形し、圧送ピストン１３６が下方向に移動した場合に、図７（ａ）に示す状態のまま変形しない。一方、小室Ｓ８に設けられたアンブレラパッキン１３７は、圧送ピストン１３６が上方向に移動した場合に、図７（ａ）に示す状態のまま変形せず、圧送ピストン１３６が下方向に移動した場合に、図７（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【００９８】
図８は図６のポンプ１３の圧力変化を示す図である。図８の縦軸は圧力を示し、横軸は時間を示す。
【００９９】
図８に示すように、ポンプ１３の洗浄水入口ＰＩに圧力Ｐｉの洗浄水が供給される。この場合、図７の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【０１００】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【０１０１】
図９（ａ）は切替弁１４の縦断面図であり、図９（ｂ）は図９（ａ）の切替弁１４のＡ−Ａ線断面図であり、図９（ｃ）は図９（ａ）の切替弁１４のＢ−Ｂ線断面図である。
【０１０２】
図９に示すように、切替弁１４は、モータ１４１、内筒１４２および外筒１４３により構成される。
【０１０３】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【０１０４】
図９（ａ），（ｂ），（ｃ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられている。内筒１４２の互いに異なる位置に孔１４２ｅ，１４２ｆが設けられている。孔１４２ｅの周辺には、図９（ｂ）に示すように、面取り部が形成されている。内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっている。
【０１０５】
洗浄水入口１４３ａには、図４の配管２０３が接続され、洗浄水出口１４３ｂには、おしりノズル１が接続され、洗浄水出口１４３ｃには、ビデノズル２が接続され、洗浄水出口１４３ｄには、ノズル洗浄用ノズル３が接続されている。
【０１０６】
図１０は図９の切替弁１４の動作を示す断面図である。
図１０（ａ）に示すように、モータ１４１が回転せず、内筒１４２の孔１４２ｅが外筒１４３の洗浄水出口１４３ｄと同じ側にある場合、内筒１４２の孔１４２ｅが外筒１４３の洗浄水出口１４３ｂ，１４３ｃのいずれにも対向せず、かつ内筒１４２の孔１４２ｆが外筒１４３の洗浄水出口１４３ｄに対向しない。したがって、洗浄水が洗浄水出口１４３ｂ，１４３ｃ，１４３ｄのいずれからも流出しない。
【０１０７】
次に、図１０（ｂ）に示すように、モータ１４１が内筒１４２を４５度回転させた場合には、内筒１４２の孔１４２ｅの周囲の面取り部の一部が外筒１４３の洗浄水出口１４３ｂに対向する。したがって、少量の洗浄水が洗浄水入口１４３ａより内筒１４２の内部を通過して、矢印Ｗ１で示すように洗浄水出口１４３ｂから流出する。
【０１０８】
また、図１０（ｃ）に示すように、モータ１４１が内筒１４２を９０度回転させた場合には、内筒１４２の孔１４２ｅが外筒１４３の洗浄水出口１４３ｂに対向する。したがって、多量の洗浄水が洗浄水入口１４３ａより内筒１４２の内部を通過して、矢印Ｗ２で示すように洗浄水出口１４３ｂから流出する。
【０１０９】
さらに、モータ１４１が内筒１４２を２７０度回転させた場合には、内筒１４２の孔１４２ｅが外筒１４３の洗浄水出口１４３ｃに対向する。したがって、多量の洗浄水が洗浄水入口１４３ａより内筒１４２の内部を通過して洗浄水出口１４３ｃから流出する。
【０１１０】
また、モータ１４１が内筒１４２を１８０度回転させた場合には、内筒１４２の孔１４２ｆが外筒１４３の洗浄水出口１４３ｄに対向する。したがって、多量の洗浄水が洗浄水入口１４３ａより内筒１４２の内部を通過して洗浄水出口１４３ｄから流出する。
【０１１１】
以上のように、制御部４からの制御信号に基いてモータ１４１が回転することにより内筒１４２の孔１４２ｅ，１４２ｆのいずれかが外筒１４３の洗浄水出口１４３ｂ〜１４３ｄのいずれかに対向した場合には洗浄水が流出し、内筒１４２の孔１４２ｅ，１４２ｆのいずれもが外筒１４３の洗浄水出口１４３ｂ〜１４３ｄのいずれにも対向しない場合には洗浄水が流出しない。
【０１１２】
次に、図４のノズル部３０のおしりノズル１について説明する。図１１は図４のノズル部３０のおしりノズル１の断面図である。なお、図４のノズル部３０のビデノズル２の構成および動作は図１２のおしりノズル１と同様である。
【０１１３】
図１１に示すように、おしりノズル１は、円筒状のピストン部２０、円筒状のシリンダ部２１、シールパッキン２２およびスプリング２３により構成される。
【０１１４】
ピストン部２０の先端近傍には、洗浄水を噴出するための噴出孔２５が形成されている。ピストン部２０の後端には、フランジ形状のストッパ部２６が設けられている。また、ストッパ部２６には、シールパッキン２２が装着されている。ピストン部２０の内部には、後端面から噴出孔２５に連通する流路２７が形成されている。
【０１１５】
一方、シリンダ部２１は、先端側の径小部分と後端側の径大部分とからなる。それにより、径小部分と径大部分との間に、ストッパ部２６がシールパッキン２２を介して当接可能なストッパ面２１ｂが形成されている。シリンダ部２１の後端面には、洗浄水入口２４が設けられ、シリンダ部２１の先端面には、開口部２１ａが設けられている。シリンダ部２１の内部空間が温度変動緩衝部２８となる。洗浄水入口２４は、シリンダ部２１の中心軸とは異なる位置に偏心して設けられている。洗浄水入口２４は、図４の切替弁１４の洗浄水出口１４３ｂに接続されている。
【０１１６】
ピストン部２０は、ストッパ部２６が温度変動緩衝部２８内に位置し、先端部が開口部２１ａから突出するように、シリンダ部２１内に移動可能に挿入されている。
【０１１７】
さらに、スプリング２３は、ピストン部２０のストッパ部２６とシリンダ部２１の開口部２１ａの周縁との間に配設されており、ピストン部２０をシリンダ部２１の後端側に付勢する。
【０１１８】
ピストン部２０のストッパ部２６の外周面とシリンダ部２１の内周面との間に微小隙間が形成され、ピストン部２０の外周面とシリンダ部２１の開口部２１ａの内周面との間に微小隙間が形成されている。
【０１１９】
次いで、図１１のおしりノズル１の動作について説明する。図１２は図１１のおしりノズル１の動作を説明するための断面図である。
【０１２０】
まず、図１２（ａ）に示すように、シリンダ部２１の洗浄水入口２４より洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１２１】
次いで、図１２（ｂ）に示すように、シリンダ部２１の洗浄水入口２４より洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１２２】
洗浄水入口２４がシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６の外周面とシリンダ部２１の内周面との間の微小隙間を通して、ピストン部２０の外周面とシリンダ部２１の開口部２１ａの内周面との間の微小隙間から流れ出るとともに、ピストン部２０の流路２７を通して噴出孔２５から噴出される。
【０１２３】
ピストン部２０がさらに前進すると、図１２（ｃ）に示すように、ストッパ部２６がシールパッキン２２を介してシリンダ部２１のストッパ面２１ｂに水密に接触する。それにより、ピストン部２０のストッパ部２６の外周面とシリンダ部２１の内周面との間の微小隙間からピストン部２０の外周面とシリンダ部２１の開口部２１ａの内周面との間の微小隙間に至る流路が遮断される。したがって、温度変動緩衝部２８の洗浄水が、ピストン部２０内の流路２７を通して噴出孔２５のみから噴出される。
【０１２４】
以下に、ポンプ１３の動作に基づく吐出圧力の変化について説明する。なお、本実施の形態に係る衛生洗浄装置１００においては、切替弁１４を通過する洗浄水の流量は一定とする。ただし、切替弁１４を切り替えることにより、以下に示す圧力変動をおしりノズル１またはビデノズル２より噴出する洗浄水に与えることができる。
【０１２５】
図１３は、本実施の形態におけるおしりノズル１の噴出孔２５より噴出される洗浄水の説明図である。
【０１２６】
図１３に示すように、おしりノズル１の噴出孔２５からは、表面張力により直径ｄｎの幅を有した丸い粒状の洗浄水が噴出される。また、直径ｄｎを有する洗浄水は、ポンプ１３の圧力により流速ｖで被洗浄面ＳＨに向けて噴出される。
【０１２７】
この場合、丸い粒状の洗浄水は、おしりノズル１の噴出孔２５より距離Ｌｗにある被洗浄面ＳＨに到達するまでに、空気抵抗の働きにより水平方向に広がる。それにより、直径ｄｎの幅を有した丸い粒状の洗浄水は、直径ｄｎよりも大きい直径ｄｗの幅を有した偏平な粒状の洗浄水に変化する。その結果、人体は、噴出孔２５において少量の洗浄水が噴出されているのにもかかわらず、被洗浄面ＳＨにおいて直径ｄｗの幅の洗浄水を受けるため、多量の洗浄水が噴出されているような洗浄感を得ることができる。
【０１２８】
図１４は、本実施の形態において設定された水勢の違いによるポンプ１３の圧力変化を示す図である。図１４の縦軸はポンプ１３の吐出圧力を示し、横軸は時間を示す。
【０１２９】
図１４（ａ）は、使用者が図２または図３の水勢調整スイッチ３０２ａを押下し、水勢を「強」に設定した場合のポンプ１３の吐出圧力を示す図である。この場合、制御部４はポンプ１３のモータ１３０の回転数を高くする。これにより、図６の圧送ピストン１３６の上下方向の運動周期が短くなる。その結果、ポンプ１３の吐出圧力の変動周波数が高くなり、吐出圧力の変動周期が小さくなる。また、吐出圧力の変動中心Ｐｏが高くなり、かつ、吐出圧力の変動幅が大きくなる。
【０１３０】
また、図１４（ｂ）は、使用者が図２または図３の水勢調整スイッチ３０２ａ，３０２ｂを押下し、水勢を「中」に設定した場合のポンプ１３の吐出圧力を示す図である。この場合、制御部４はモータ１３０の回転数を中程度にする。これにより、図６の圧送ピストン１３６の上下方向の運動周期が中程度となる。その結果、ポンプ１３の吐出圧力の変動周波数が中程度となり、吐出圧力の変動周期が中程度となる。また、吐出圧力の変動中心Ｐｏが中程度となり、かつ、吐出圧力の変動幅が中程度となる。
【０１３１】
さらに、図１４（ｃ）は、使用者が図２または図３の水勢調整スイッチ３０２ｂを押下し、水勢を「弱」に設定した場合のポンプ１３の吐出圧力を示す図である。この場合、制御部４はモータ１３０の回転数を低くする。これにより、図６の圧送ピストン１３６の上下方向の運動周期が長くなる。その結果、ポンプ１３の吐出圧力の変動周波数が低くなり、吐出圧力の変動周期が大きくなる。また、ポンプ１３の吐出圧力の変動中心Ｐｏが低くなり、かつ、吐出圧力の変動幅が小さくなる。
【０１３２】
本実施の形態に係る衛生洗浄装置１００においては、水勢の調整がポンプ１３の回転数を変化させることにより行われる。これにより、使用者は、水勢調整スイッチ３０２ａ，３０２ｂにより、ノズル部３０から噴出される洗浄水の流量（平均圧力）、圧力変動幅および圧力変動周期を調整することができる。
【０１３３】
このように、洗浄水の流量のみならず圧力変動幅および圧力変動周期を変化させることにより、流量のみの調整とは異なる洗浄感が得られる。したがって、使用者の嗜好に応じた種々の洗浄感を得ることが可能となる。
【０１３４】
なお、使用者が図２または図３に示すエキストラスイッチ３０４を押下操作した場合、制御部４は、使用者が図２または図３の水勢調整スイッチ３０２ａにより水勢を「強」に設定した場合よりもモータ１３０の回転数を高くする。これにより、圧送ピストン１３６の上下方向の運動周期がさらに短くなる。その結果、水勢を「強」に設定した場合よりもポンプ１３の吐出圧力の変動周波数が高くなり、吐出圧力の変動周期が小さくなる。また、吐出圧力の変動中心Ｐｏがさらに高くなり、かつ、吐出圧力の変動幅がさらに大きくなる。
【０１３５】
図１５は、エキストラ洗浄時および通常洗浄時における洗浄水の水勢の設定とポンプ１３からの洗浄水の吐出圧力（中心圧力）との関係を示す図である。
【０１３６】
前述したように、エキストラ洗浄時において、制御部４は、おしり洗浄時またはビデ洗浄時（以下、通常洗浄時と称する）に使用者が図２または図３の水勢調整スイッチ３０２ａにより水勢を「強」に設定した場合よりも、ポンプ１３の回転数を高くする。これにより、図１５に示すように、おしりノズル１から噴出される洗浄水の吐出圧力は、通常洗浄時におしりノズル１またはビデノズル２から噴出される洗浄水の吐出圧力よりも高くなる。その結果、エキストラ洗浄時には、通常洗浄時よりも高い圧力で加圧された洗浄水がおしりノズル１から噴出される。この場合、おしりノズル１から噴出される洗浄水の流速および流量が高くなる。
【０１３７】
図１６は、エキストラ洗浄における衛生洗浄装置の詳細な動作を示すフローチャートである。
【０１３８】
図３、図４および図１６を用いてエキストラ洗浄における衛生洗浄装置の動作を説明する。
【０１３９】
制御部４は、使用者が図３に示すエキストラスイッチ３０４を押下したと判別すると、切替弁１４をおしりノズル１側に切り替える（ステップＳ１）。次に制御部４は、止水電磁弁９を開き、熱交換器１１に洗浄水を供給する（ステップＳ２）。さらに、制御部４は、熱交換器１１の出口側（下流部）に設けられた通水センサ１２ｄより通水信号を受信したか否かを判別する（ステップＳ３）。この通水センサ１２ｄは、配管２０３内が洗浄水で満たされている場合にのみ通水信号を制御部４に送信する。それにより、制御部４は通水センサ１２ｄから通水信号を受信すると、配管２０３に接続された熱交換器１１の蛇行配管５１０内が洗浄水で満たされていると判定する。
【０１４０】
さらに、制御部４は、便座用ヒータおよび室内暖房用ヒータをオフするとともに熱交換器１１をオンし、洗浄水の加熱を開始する（ステップＳ４）。これにより、衛生洗浄装置１００に供給される電力の大部分が熱交換器１１に集中的に与えられる。
【０１４１】
さらに、制御部４は、温度センサ１２ｂより与えられる温度測定値に基づいて洗浄水の温度が所定温度に達したか否かを判別する（ステップＳ５）。
【０１４２】
洗浄水の温度が所定温度に達したことを判別すると、制御部４は、ポンプ１３を所定の高速度で回転させる（ステップＳ６）。これにより、おしりノズル１からポンプ１３により高い圧力で加圧された洗浄水が高い流速および流量で噴出される。
【０１４３】
なお、ステップＳ５に示す所定温度は、おしりノズル１から噴出される洗浄水の温度が使用者に不快感を与えない温度となるように設定することが好ましい。
【０１４４】
図１７は、エキストラ洗浄における衛生洗浄装置の詳細な他の動作を示すフローチャートである。
【０１４５】
図３、図４および図１７を用いてエキストラ洗浄における衛生洗浄装置の他の動作を説明する。
【０１４６】
制御部４は、使用者が図３に示すエキストラスイッチ３０４を押下したと判別すると、切替弁１４をおしりノズル１側に切り替える（ステップＳ１１）。次に制御部４は、止水電磁弁９を開き、熱交換器１１に洗浄水を供給する（ステップＳ１２）。さらに、制御部４は、熱交換器１１の出口側（下流部）に設けられた通水センサ１２ｄより通水信号を受信したか否かを判別する（ステップＳ１３）。この通水センサ１２ｄは、配管２０３内が洗浄水で満たされている場合にのみ通水信号を制御部４に送信する。それにより、制御部４は通水センサ１２ｄから通水信号を受信すると、配管２０３に接続された熱交換器１１の蛇行配管５１０内が洗浄水で満たされていると判定する。
【０１４７】
さらに、制御部４は、便座用ヒータおよび室内暖房用ヒータをオフするとともに熱交換器１１をオンし、洗浄水の加熱を開始する（ステップＳ１４）。これにより、衛生洗浄装置１００に供給される電力の大部分が熱交換器１１に集中的に与えられる。
【０１４８】
さらに、制御部４は、所定時間経過したか否かを判別する（ステップＳ１５）。
【０１４９】
所定時間経過したと判別すると、制御部４は、ポンプ１３を所定の高速度で回転させる（ステップＳ１６）。これにより、おしりノズル１からポンプ１３により高い圧力で加圧された洗浄水が高い流速および流量で噴出される。
【０１５０】
なお、ステップＳ１５における所定時間は、おしりノズルから噴出される洗浄水の温度が使用者に不快感を与えない温度に加熱されるのに充分な時間に設定することが好ましい。
【０１５１】
以上のように、エキストラ洗浄時において、ポンプ１３を水勢調整スイッチ３０２ａにより水勢が「強」に設定された場合よりも高い回転数で回転させることにより、高い圧力で加圧された洗浄水を高い流速および流量でおしりノズル１から使用者の肛門に噴出することができる。これにより、使用者は高い流速および流量で瞬時に肛門および肛門周辺部を洗浄することができる。また、使用者の肛門および肛門周辺部を刺激するとともに、洗浄水が肛門内に侵入し、不随意筋を刺激することにより内肛門括約筋を弛緩させることができ、使用者の便意を効率よくかつ確実に促進させることが可能となる。
【０１５２】
なお、本実施の形態に係る衛生洗浄装置には、エキストラ洗浄時におしりノズルから噴出される洗浄水の温度を使用者に不快感を与えない温度に調整する調整機能が設けられていてもよい。
【０１５３】
図１８は、エキストラ洗浄時における洗浄水の温度調整機能を有する衛生洗浄装置の動作を示すフローチャートである。
【０１５４】
図３、図４および図１８を用いてエキストラ洗浄時における洗浄水の温度調整についての衛生洗浄装置の動作を説明する。
【０１５５】
エキストラ洗浄時の洗浄水の温度調整機能を有する衛生洗浄装置において、図４の制御部４には、使用者に不快感を与えない洗浄水の所定の温度範囲が予め設定されている。
【０１５６】
エキストラ洗浄時において、制御部４は、温度センサ１２ｂより与えられる温度測定値に基づいて、現在ノズルより噴出されている洗浄水の温度が、予め設定された所定の温度範囲内であるか否かを判別する（ステップＳ２１）。
【０１５７】
ここで、制御部４は、現在ノズルより噴出されている洗浄水の温度が所定の温度範囲内でないと判別した場合、洗浄水の温度が所定の温度範囲より高いか否かを判別する（ステップＳ２２）。そして、制御部４は、洗浄水の温度が所定の温度範囲より高いと判別した場合、ポンプ１３の運転速度（ポンプ１３においては、図６のモータ１３０の回転速度）を所定の速度低下させ（ステップＳ２３）、上述のステップＳ２１の動作を繰り返す。また、制御部４は、洗浄水の温度が所定の温度範囲より高くないと判別した場合、ポンプ１３の運転速度を所定の速度上昇させ（ステップＳ２４）、上述のステップＳ２１の動作を繰り返す。
【０１５８】
制御部４は、上述のステップＳ２１において、現在ノズルより噴出されている洗浄水の温度が所定の温度範囲内であると判別した場合、ポンプ１３の運転速度を現在稼動している速度で維持する（ステップＳ２５）。
【０１５９】
制御部４は、以上に示すステップＳ２１〜Ｓ２５の動作を行った後、図３のリモートコントローラ３００よりエキストラ洗浄の停止を示すエキストラ洗浄停止信号を受信したか否かについて判別する（ステップＳ２６）。制御部４は、エキストラ洗浄停止信号を受信した場合、エキストラ洗浄を停止する（ステップＳ２７）。また、制御部４は、エキストラ洗浄停止信号を受信していない場合、上記に示すステップＳ２１〜Ｓ２６の動作を繰り返す。
【０１６０】
なお、上述のステップＳ２３において、制御部４はポンプ１３の運転速度を低下させるが、少なくとも通常洗浄時の運転速度より高くなるように設定する必要がある。
【０１６１】
以上に示すエキストラ洗浄時の洗浄水の温度調整機能によれば、ノズルより噴出される洗浄水の温度はエキストラ洗浄時においても常に所定の温度範囲内に設定される。これにより、使用者は、多量の洗浄水がノズルより噴出されるエキストラ洗浄時に、洗浄水の温度低下等による不快感を得ることがない。
【０１６２】
図１９は、本実施の形態における衛生洗浄装置に用いるポンプの他の例を示す断面図である。
【０１６３】
図１９に示すポンプ１３ｂは単動型レシプロポンプである。図１９において、本体部には、円柱状空間２３５が形成されている。円柱状空間２３５内には圧送ピストン２３６が設けられている。圧送ピストン２３６により円柱状空間２３５がポンプ室２３５ａとポンプ室２３５ｂとに分割される。
【０１６４】
本体部の一側部には洗浄水入口Ｐαが設けられ、他側部には洗浄水出口Ｐβが設けられている。洗浄水入口Ｐαには図４の配管２０３を介して熱交換器１１が接続され、洗浄水出口Ｐβには配管２０３を介して切替弁１４が接続される。
【０１６５】
洗浄水入口Ｐαは、小室Ｓ１０および小室Ｓ１１を介してポンプ室２３５ａに連通している。
【０１６６】
ポンプ室２３５ａは、小室Ｓ１２および小室Ｓ１３を介して洗浄水出口Ｐβに連通している。
【０１６７】
モータ２３０の回転軸にギア２３１が取り付けられ、ギア２３１にギア２３２が噛合っている。また、ギア２３２には、クランクシャフト２３３の一端が一点支持で回動可能に取り付けられ、クランクシャフト２３３の他端には、ピストン保持部２３４およびピストン保持棒２３９を介して圧送ピストン２４０が取り付けられている。
【０１６８】
図４の制御部４により与えられる制御信号に基いて、モータ２３０の回転軸が回転すると、モータ２３０の回転軸に取り付けられたギア２３１が矢印Ｒ３の方向に回転し、ギア２３２が矢印Ｒ４の方向に回転する。これにより、圧送ピストン２４０が図中の矢印Ｇの方向に上下運動する。
【０１６９】
また、小室Ｓ１１および小室Ｓ１３には、それぞれアンブレラパッキン２３７が設けられている。アンブレラパッキン２３７の構成および動作は、前述した図７に示すアンブレラパッキン１３７の構成および動作と同様である。
【０１７０】
例えば、図１９の圧送ピストン２４０が、下方向に移動し、ポンプ室２３５ａの容積を増加させた場合、小室Ｓ１０の圧力よりもポンプ室２３５ａ内の圧力が低くなるため、小室Ｓ１１に設けられたアンブレラパッキン２３７は、図７（ｂ）に示すように変形する。その結果、洗浄水入口Ｐαから供給された洗浄水が、小室Ｓ１０および小室Ｓ１１を介してポンプ室２３５ａに流入する。この場合、小室Ｓ１１に設けられたアンブレラパッキン２３７は、図７（ａ）に示す状態のまま変形しない。そのため、ポンプ室２３５ａ内の洗浄水が、洗浄水出口Ｐβより吐出されない。
【０１７１】
一方、図１９の圧送ピストン２４０が、上方向に移動し、ポンプ室２３５ａの容積を減少させた場合、小室Ｓ１０の圧力よりもポンプ室２３５ａ内の圧力が高くなるため、小室Ｓ１２に設けられたアンブレラパッキン２３７は、図７（ａ）に示す状態のまま変形しない。その結果、小室Ｓ１０内の洗浄水が、ポンプ室２３５ａに流入しない。この場合、小室Ｓ１３に設けられたアンブレラパッキン２３７、図７（ｂ）に示すように変形する。そのため、ポンプ室２３５ａ内の洗浄水が、小室Ｓ１２および小室Ｓ１３を介して洗浄水出口Ｐβから吐出される。
【０１７２】
図２０は、図１９のポンプの各部の圧力変化を示す図である。図２０の縦軸は圧力を示し、横軸は時間を示す。
【０１７３】
図２０に示すように、ポンプ１３ｂの洗浄水入口Ｐαに圧力Ｐｘの洗浄水が供給される。この場合、図１９の圧送ピストン２４０が上下方向に運動することにより、ポンプ室２３５ａ内の洗浄水の圧力Ｐｘが変化する。それにより、ポンプ１３ｂの洗浄水出口Ｐβより吐出される洗浄水の圧力Ｐｏｕｔは、太い実線で示すように、圧力Ｐｋを中心として上下に周期的に変化する。
【０１７４】
このように、ポンプ１３ｂにおいては、圧送ピストン２４０が上下運動を行うことにより、ポンプ室２３５ａ内の洗浄水に対して圧力が加えられ、洗浄水入口Ｐαの洗浄水が昇圧されて洗浄水出口Ｐβから吐出される。
【０１７５】
本実施の形態おける衛生洗浄装置に図１９のポンプ１３ｂを用いた場合にも、ポンプ１３を用いた場合と同様に、ノズル部３０から噴出される洗浄水の流量および圧力変動周期を調整することができる。なお、エキストラ洗浄時においては、ポンプ１３ｂを高速で回転させることにより、高い圧力で加圧された洗浄水をおしりノズル１から高い流速および流量で噴出することができ、使用者は高い流速および流量で瞬時に肛門および肛門周辺部を洗浄することができる。また、これにより使用者は効率よくかつ確実に便意を促進させることが可能となる。
【０１７６】
上記実施の形態においては、複動型レシプロポンプ１３または単動型レシプロポンプ１３ｂを用いる場合について説明したが、これに限定されず、回転型ポンプまたは他の往復型ポンプを用いてもよい。
【０１７７】
図２１は、本実施の形態における衛生洗浄装置に用いられるポンプの構造のさらに他の例を示す断面図である。図２１に示すポンプ１３Ｄは電磁ポンプである。
【０１７８】
図２１のポンプ１３Ｄにおいては、シリンダ１３８Ｄの外周面の上半部に電磁コイル１３２Ｄが巻回されている。
【０１７９】
シリンダ１３８Ｄ内には、スプリングＳＰ１，ＳＰ３および円柱状のプランジャ１３６Ｐが設けられている。シリンダ１３８Ｄ内は、プランジャ１３６Ｐによりポンプ室１３９ｃとポンプ室１３９ｅとに分割される。
【０１８０】
ここで、円柱状のプランジャ１３６Ｐ内に円柱状のポンプ室１３９ｄが形成されている。ポンプ室１３９ｄは内部流路Ｔ１を介してポンプ室１３９ｃに連通し、かつ内部流路Ｔ２を介してポンプ室１３９ｅに連通している。ポンプ室１３９ｄ内には、球体ＢおよびスプリングＳＰ２が設けられている。
【０１８１】
シリンダ１３８Ｄの下端部には洗浄水入口ＰＡが設けられ、上端部には洗浄水出口ＰＢが設けられている。洗浄水入口ＰＡには図４の配管２０３を介して熱交換器１１が接続され、洗浄水出口ＰＢには配管２０３を介して切替弁１４が接続される。
【０１８２】
シリンダ１３８Ｄ内において、スプリングＳＰ１はプランジャ１３６Ｐを上方へ付勢し、スプリングＳＰ３はプランジャ１３６Ｐを下方へ付勢する。
【０１８３】
プランジャ１３６Ｐのポンプ室１３９ｄ内において、スプリングＳＰ２は、球体Ｂを下方へ付勢する。それにより、球体Ｂは、ポンプ室１３９ｄと内部流路Ｔ１との境界に位置する弁座ＢＺに押し付けられている。
【０１８４】
以上に示す構成を有するポンプ１３Ｄは、電磁コイル１３２Ｄに電圧を印加することにより動作する。以下に、図２２に基づきポンプ１３Ｄの動作を説明する。図２２は、ポンプ１３Ｄの動作を示す模式的断面図である。
【０１８５】
図２２（ａ）は、非稼動時におけるポンプ１３Ｄの内部状態を示す。この場合、シリンダ１３８Ｄ内において、プランジャ１３６Ｐは、スプリングＳＰ１およびスプリングＳＰ３によりシリンダ１３８Ｄ内の中央に保持されている。プランジャ１３６Ｐのポンプ室１３９ｄ内において、スプリングＳＰ２は、球体Ｂを弁座ＢＺに押し付け、内部流路Ｔ１を介するポンプ室１３９ｄとポンプ室１３９ｃとの連通を阻止する。
【０１８６】
図２２（ｂ）は、稼動時の電磁コイル１３２Ｄに電圧が印加されたときのポンプ１３Ｄの内部状態を示す。この場合、シリンダ１３８Ｄ内において、プランジャ１３６Ｐは、スプリングＳＰ３の弾性力に抗してシリンダ１３８Ｄ内を洗浄水出口ＰＢ側へ移動する。それにより、スプリングＳＰ３が圧縮され、スプリングＳＰ１が伸張される。なお、このとき、プランジャ１３６Ｐのポンプ室１３９ｄ内において、スプリングＳＰ２はポンプ１３Ｄの非稼動時と同様に球体Ｂを弁座ＢＺに押し付け、内部流路Ｔ２を介するポンプ室１３９ｄとポンプ室１３９ｃとの連通を阻止する。
【０１８７】
上記動作に伴いポンプ室１３９ｃ内の圧力が低くなり、洗浄水が洗浄水入口ＰＡより流入する。一方、上記動作に伴いポンプ室１３９ｅ内の圧力が高くなり、ポンプ室１３９ｅ内の洗浄水が洗浄水出口ＰＢより流出する。このように、球体Ｂは逆止弁として作用する。
【０１８８】
図２２（ｃ）は、稼動時の電磁コイル１３２Ｄに電圧が印加されないときのポンプ１３Ｄの内部状態を示す。この場合、シリンダ１３８Ｄ内において、プランジャ１３６Ｐは、伸張されたスプリングＳＰ１および圧縮されたスプリングＳＰ３の復元力によりシリンダ１３８Ｄ内を洗浄水入口ＰＡ側へ移動する。それにより、スプリングＳＰ３が伸張され、スプリングＳＰ１が圧縮される。
【０１８９】
上記動作に伴いポンプ室１３９ｃ内の圧力が高くなり、ポンプ室１３９ｃ内の洗浄水が、プランジャ１３６Ｐの内部流路Ｔ１を通じてポンプ室１３９ｄ内の球体Ｂを弁座ＢＺから押し出し、ポンプ室１３９ｄ内に流入する。さらに、ポンプ室１３９ｃより流入する洗浄水により、ポンプ室１３９ｄ内の圧力が高くなり、ポンプ室１３９ｄ内の洗浄水が、プランジャ１３６Ｐの内部流路Ｔ２を通じてポンプ室１３９ｅ内へ流入し、洗浄水出口ＰＢから吐出される。
【０１９０】
なお、電磁ポンプ１３Ｄにおいては、プランジャ１３６Ｐとシリンダ１３８Ｄとの間にシール部材が介在しないため、洗浄水出口ＰＢの下流側の圧力損失により吐出流量が異なる。
【０１９１】
図２３は、図２１のポンプ１３Ｄの稼動時におけるポンプ室１３９ｅ内の圧力変化および電磁コイル１３２Ｄに印加される電圧の変化を示す図である。図２３（ａ）はポンプ１３Ｄの圧力変化を示し、図２３（ｂ）は電磁コイル１３２Ｄに印加される電圧の変化を示す。
【０１９２】
図２３に示すように、ポンプ１３Ｄの洗浄水入口ＰΑには、圧力Ｐｎの洗浄水が供給される。そして、電磁コイル１３２Ｄに電圧Ｖｍが断続的に印加されることによりプランジャ１３６Ｐがシリンダ１３８Ｄ内で往復運動し、ポンプ１３Ｄの洗浄水出口ＰＢから吐出される洗浄水の圧力Ｐｐは太い実線で示すように、点線で示す圧力Ｐｍを中心として上下に周期的に変化する。
【０１９３】
以上に示すように、ポンプ１３Ｄにおいては、電磁コイル１３２Ｄに周期的なパルス電圧が印加されることにより、ポンプ室１３９ｅ内の洗浄水に対して圧力が加えられ、洗浄水入口ＰΑの洗浄水が昇圧されて洗浄水出口ＰＢから吐出される。
【０１９４】
図２３のポンプ１３Ｄにおいては、電磁コイル１３２Ｄに印加するパルス電圧の電圧値により、プランジャ１３６Ｐの変位量（以下、稼動ストロークと呼ぶ。）が異なる。したがって、電磁コイル１３２Ｄに印加するパルス電圧の電圧Ｖｍまたはデューティ比を変更することにより、プランジャ１３６Ｐの稼動ストロークを変更することができる。したがって、ポンプ１３ｄを本実施の形態における衛生洗浄装置１００に用いた場合には、おしりノズル１またはビデノズル２から噴出される洗浄水の態様を精密に変化させることができ、おしりノズル１から噴出される洗浄水が少量の場合でも使用者は高い流速および流量で瞬時に肛門および肛門周辺部を洗浄することができる。また、これにより使用者は効果的にかつ確実に便意を促進させることが可能となる。
【０１９５】
本実施の形態においては、おしりノズル１およびビデノズル２が噴出手段に相当し、ポンプ１３が加圧手段に相当し、制御部４が制御手段に相当し、おしりスイッチ３０３およびビデスイッチ３０６が通常洗浄指示手段に相当し、エキストラスイッチ３０４が最強洗浄指示手段に相当し、エキストラスイッチ３０４が操作手段に相当し、エキストラタイマーダイヤル３０４ｃがタイマに相当し、水勢調整スイッチ３０２ａ，３０２ｂが水勢設定手段に相当し、熱交換器１１が加熱手段および瞬間式加熱装置に相当する。また、室内暖房用ヒータ１４および便座暖房用ヒータ１５が暖房手段に相当し、温度計測手段が温度センサ１２ｂに相当し、エキストラ洗浄が最強洗浄に相当する。
【０１９６】
【発明の効果】
本発明における衛生洗浄装置においては、最強洗浄動作時に、人体の局部および局部周辺を吐出圧力の高い洗浄水で瞬時に洗浄することが可能となる。また、最強洗浄によれば、人体の局部および局部周辺を吐出圧力の高い洗浄水で刺激することができ、効率よくかつ確実に便意を促進することが可能となる。
【図面の簡単な説明】
【図１】第１の実施の形態に係る衛生洗浄装置を便器に装着した状態を示す斜視図
【図２】図１の遠隔操作装置の一例を示す模式図
【図３】図１の遠隔操作装置の他の例を示す模式図
【図４】本実施の形態における衛生洗浄装置の本体部の構成を示す模式図
【図５】熱交換器の構造の一例を示す一部切り欠き断面図
【図６】ポンプの構造の一例を示す断面図
【図７】アンブレラパッキンの動作を説明するための模式図
【図８】図６のポンプの圧力変化を示す図
【図９】（ａ）切替弁の縦断面図、（ｂ）切替弁のＡ−Ａ線断面図、（ｃ）切替弁のＢ−Ｂ線断面図
【図１０】図９の切替弁の動作を示す断面図
【図１１】図４のノズル部のおしりノズルの断面図
【図１２】図１１のおしりノズルの動作を説明するための断面図
【図１３】本実施の形態におけるおしりノズルの噴出孔より噴出される洗浄水の説明図
【図１４】水勢の違いによるポンプの圧力変化を示す図
【図１５】エキストラ洗浄時および通常洗浄時における洗浄水の水勢の設定とポンプからの洗浄水の吐出圧力（中心圧力）との関係を示す図
【図１６】エキストラ洗浄処理における衛生洗浄装置の詳細な動作を示すフローチャート
【図１７】エキストラ洗浄処理における衛生洗浄装置の詳細な他の動作を示すフローチャート
【図１８】エキストラ洗浄時における洗浄水の温度調整機能を有する衛生洗浄装置の動作を示すフローチャート
【図１９】本実施の形態の衛生洗浄装置に用いられるポンプの構造の他の例を示す断面図
【図２０】図１９のポンプの各部の圧力変化を示す図
【図２１】本実施の形態の衛生洗浄装置に用いられるポンプの構造のさらに他の例を示す断面図
【図２２】図２１のポンプの動作を示す模式的断面図
【図２３】図２１のポンプの稼動時におけるポンプ室内の圧力変化および電磁コイルに印加される電圧の変化を示す図
【符号の説明】
１　おしりノズル
２　ビデノズル
４　制御部
１２ｂ　温度センサ
１３，１３ｂ，１３Ｄ　ポンプ
１４　切替弁
３０　ノズル部
１３０，２３０　モータ
１４２　内筒
１４３　外筒
１４３ａ　洗浄水入口
１４３ｂ，１４３ｃ　洗浄水出口
１４２ｅ　孔
２００　本体部
３００　遠隔操作装置
３０２　調整スイッチ
３０２ａ，３０２ｂ　水勢調整スイッチ
３０４　エキストラスイッチ
３０４ｃ　エキストラタイマーダイヤル
【図１】
2004003247.tif 000003
【図２】
2004003247.tif 000004
【図３】
2004003247.tif 000005
【図４】
2004003247.tif 000006
【図５】
2004003247.tif 000007
【図６】
2004003247.tif 000008
【図７】
2004003247.tif 000009
【図８】
2004003247.tif 000010
【図９】
2004003247.tif 000011
【図１０】
2004003247.tif 000012
【図１１】
2004003247.tif 000013
【図１２】
2004003247.tif 000014
【図１３】
2004003247.tif 000015
【図１４】
2004003247.tif 000016
【図１５】
2004003247.tif 000017
【図１６】
2004003247.tif 000018
【図１７】
2004003247.tif 000019
【図１８】
2004003247.tif 000020
【図１９】
2004003247.tif 000021
【図２０】
2004003247.tif 000022
【図２１】
2004003247.tif 000023
【図２２】
2004003247.tif 000024
【図２３】
2004003247.tif 000025